(57)【特許請求の範囲】
【請求項１】
充電及び放電が可能な二次電池が内蔵され、負荷装置又は充電装置と接続される端子を有するバッテリ装置において、
上記負荷装置又は充電装置との接続を検出する接続検出手段と、
上記端子と上記バッテリ状態検出手段との間に設けられ、上記接続検出手段が接続なしを検出したとき開放する、充電時に充電装置から供給される大電流及び負荷装置へ供給する大電流よりも小さい電流である小電流用の第１のスイッチ手段と、
該第１のスイッチ手段を介して上記二次電池と接続され、上記二次電池の温度を検出するバッテリ状態検出手段とを備え、
第２のスイッチ手段を介して上記二次電池を上記端子と接続させ、上記負荷装置又は充電装置に接続しない状態のとき、上記第１のスイッチ手段が開放状態となって上記バッテリ状態検出手段が上記二次電池から切り離されるようにすると共に、上記負荷装置又は充電装置に接続した状態で、検出した温度が所定温度以上に上昇したとき、上記第２のスイッチ手段を開状態として上記二次電池と上記端子との間を切り離すようにしたバッテリ装置。
【請求項２】
上記バッテリ状態検出手段で、上記二次電池の端子間電圧を検出するようにした請求項１に記載のバッテリ装置。
【請求項３】
上記バッテリ状態検出手段で、上記二次電池の充電残量を検出し、検出した残量を表示するようにした請求項１に記載のバッテリ装置。
【発明の詳細な説明】
【０００１】
【産業上の利用分野】
本発明は、ビデオカメラに駆動用電源を供給するバッテリ装置に適用して好適なバッテリ装置に関する。
【０００２】
【従来の技術】
従来、ビデオカメラで撮影を行う際には、通常は二次電池が内蔵されたバッテリ装置を接続し、このバッテリ装置内の二次電池からビデオカメラの駆動用電源を供給するようにしている。
【０００３】
ところで、ビデオカメラなどに接続して使用されるバッテリ装置は、各種保護回路や状態検出回路を内蔵させて、充電状態や放電状態が異常な状態になったときに、二次電池の保護や警告などを行うようにしたものがある。
【０００４】
【発明が解決しようとする課題】
ここで、バッテリ装置に内蔵された検出回路などの内部回路は、内蔵された二次電池から供給される電源により作動する回路としてある。このため、内部回路を常時作動するようにすると、バッテリ装置内の二次電池から常時電流が流れることになり、二次電池の充電残量が減少してしまい、ビデオカメラなどの負荷装置を駆動できる時間が短くなってしまう。
【０００５】
また、バッテリ装置をビデオカメラなどの負荷装置や充電器に接続しない状態で放置しても、内蔵された二次電池から常時微小な電流（一般に内部回路の消費電力は僅か）が流れるいわゆる暗電流が発生し、長時間にわたる微小な電流の放電で二次電池が破壊されてしまう不都合があった。
【０００６】
本発明の目的は、バッテリ装置に内蔵された内部回路により暗電流が発生しないようにして、無駄な充電電流の消費やバッテリ自体の損傷を防止することにある。
【０００７】
【課題を解決するための手段】
本発明は、例えば図３に示すように、充電及び放電が可能な二次電池１５が内蔵され、負荷装置又は充電装置と接続される端子１１，１２を有するバッテリ装置において、負荷装置又は充電装置との接続を検出する接続検出手段１６と、端子１１，１２とバッテリ状態検出手段１６との間に設けられ、接続検出手段１６が接続なしを検出したとき開放する、充電時に充電装置から供給される大電流及び負荷装置へ供給する大電流よりも小さい電流である小電流用の第１のスイッチ手段１３′，１４′と、この第１のスイッチ手段１３′，１４′を介して二次電池１５と接続される、二次電池の温度を検出するバッテリ状態検出手段１８′とを備え、第２のスイッチ手段２１，２２を介して二次電池１５を端子１１，１２と接続させ、負荷装置又は充電装置に接続しない状態のとき、第１のスイッチ手段１３′，１４′が開放状態となってバッテリ状態検出手段１８が二次電池１５から切り離されるようにすると共に、負荷装置又は充電装置に接続した状態で、検出した温度が所定温度以上に上昇したとき、第２のスイッチ手段を開状態として二次電池１５と端子１１，１２との間を切り離すようにしたものである。
【００１２】
さらに上述した場合に、バッテリ状態検出手段で、二次電池の端子間電圧を検出するようにしたものである。
【００１３】
さらに上述した場合に、バッテリ状態検出手段で、二次電池の充電残量を検出し、検出した残量を表示するようにしたものである。
【００１４】
【作用】
本発明によると、バッテリ装置が負荷装置又は充電装置と接続されない状態のとき、端子とバッテリ状態検出手段が二次電池から切り離され、端子の短絡事故を防止できると共に、バッテリ状態検出手段に常時電流が流れる暗電流の発生を防止することができる。
【００１６】
さらに、上述した場合にバッテリ状態検出手段で、二次電池の端子間電圧を検出することで、充電器や負荷装置と接続された場合にだけ充電電圧や負荷電圧の異常を検出するようになる。
【００１７】
さらに、上述した場合にバッテリ状態検出手段で、二次電池の充電残量を検出し、検出した残量を表示することで、充電器や負荷装置と接続された場合にだけ二次電池の充電残量が表示されるようになる。
【００１８】
【実施例】
以下、本発明の一実施例を図１及び図２を参照して説明する。
【００１９】
図１は本例のビデオカメラ用バッテリ装置の内部の構成を示す図で、図中１０はバッテリ装置全体を示す。このバッテリ装置１０は、正極及び負極の端子１１及び１２を有し、この端子１１，１２の間にスイッチ１３，１４を介して二次電池１５が接続してある。この二次電池１５としては、ニッケル・カドミウム電池，リチウムイオン電池などが使用され、ビデオカメラを駆動するのに充分な電圧が得られるように、例えば複数個直列に接続してある。
【００２０】
そして、各端子１１，１２と二次電池１５との間に接続されたスイッチ１３，１４は、このバッテリ装置１０がビデオカメラや充電器に接続される場合に接触する面から突出する突起１６の状態により切換えが制御される。この突起１６は、図２に示すように、各端子１１，１２などを有しビデオカメラや充電器と当接する面１０ａから若干突出していて、この突出状態が内部のバネ１７の弾性力により維持されるようにしてある。このように突起１６が面１０ａから突出した状態では、各スイッチ１３，１４が開状態となり、二次電池１５が各端子１１，１２から切り離される。
【００２１】
そして、このバッテリ装置１０をビデオカメラや充電器に取付けた場合には、バッテリ装置１０の面１０ａがビデオカメラや充電器と当接して、突起１６の先端部が面１０ａと同一面になるまで押し込まれる。このときの突起１６の移動により、各スイッチ１３，１４が閉状態となり、二次電池１５が各端子１１，１２と接続され、端子１１，１２を介した充電や放電が可能になる。
【００２２】
そして本例においては、このバッテリ装置１０の二次電池１５の状態を検出するバッテリ状態検出回路１８と、この検出回路１８での検出状態に応じた表示を行う表示回路１９とを備え、このバッテリ状態検出回路１８と表示回路１９を作動させる電源を供給するために、正極側の端子１１とスイッチ１３との間から引き出した信号線及び負極側の端子１２とスイッチ１４との間から引き出した信号線を、バッテリ状態検出回路１８と表示回路１９に接続する。
【００２３】
この場合、バッテリ状態検出回路１８で検出するバッテリの状態としては、二次電池１５の充電残量，二次電池１５の温度，二次電池１５の正極と負極との間の電圧などが考えられる。
【００２４】
そして、表示回路１９はバッテリ状態検出回路１８から検出状態に関する情報が供給され、発光ダイオードなどのパイロットランプにより検出した状態を表示する。例えば、二次電池１５の充電残量を、５個のパイロットランプの点灯順序により表示する。或いは、二次電池１５の温度や端子間電圧が異常な温度や電圧になったとき、所定のパイロットランプを点灯させて表示する。但し、このパイロットランプの点灯による表示は、スイッチ１３，１４が閉状態となって二次電池１５からの電源がバッテリ状態検出回路１８及び表示回路１９に供給されているときだけ行う。
【００２５】
このように構成されるバッテリ装置１０を使用することで、このバッテリ装置１０をビデオカメラや充電器に接続させないときには、スイッチ１３，１４が開状態となって、端子１１，１２が二次電池１５と接続されなくなり、端子１１，１２がなんらかの金属に接触して短絡するようなことがあっても、二次電池１５の正極と負極とが短絡することがなく、二次電池１５が短絡する事故を防止することができる。
【００２６】
さらに本例においては、バッテリ状態検出回路１８と表示回路１９とを、このスイッチ１３，１４を介して二次電池１５と接続するようにしたので、このバッテリ装置１０をビデオカメラや充電器に接続させないときには、このバッテリ状態検出回路１８と表示回路１９とに電源が供給されなく、両回路１８，１９による不使用時の無駄な電力消費を防ぐことができると共に、両回路１８，１９に微小な電流が流れ続ける暗電流が発生して過放電が行われて、二次電池１５が損傷する事故を防止できる。
【００２７】
また、ビデオカメラから外された状態のバッテリ装置の突起１６を手動で押し込むことによっても、バッテリ状態検出回路１８と表示回路１９とを作動させることができ、バッテリ装置が外された状態では、突起１６を押したときだけ二次電池１５の状態が表示されるようになる。
【００２８】
なお、上述実施例では二次電池１５の正極側と負極側の双方に１個ずつスイッチ１３，１４を設けたが、何れか一方にだけスイッチを設けるようにしても良い。
【００２９】
また、上述実施例ではバッテリ状態検出回路で検出した状態に基づいた表示を行うようにしたが、バッテリ状態検出回路で検出した状態が異常状態であるとき、二次電池を端子側から切り離すようにしても良い。即ち、例えば図３に示すように、バッテリ装置１０′の端子１１，１２をスイッチ２１，２２を介して二次電池１５と接続する。そして、この二次電池１５の正極側とスイッチ２１との間を、スイッチ１３′を介してバッテリ状態検出回路１８′と接続する共に、二次電池１５の負極側とスイッチ２２との間を、スイッチ１４′を介してバッテリ状態検出回路１８′と接続する。この場合、スイッチ１３′，１４′は、突起１６に連動して開閉するスイッチで、バッテリ装置１０′をビデオカメラや充電器に接続させたときだけ、スイッチ１３′，１４′が閉状態となり、二次電池１５からバッテリ状態検出回路１８′に電源が供給される。そして、バッテリ状態検出回路１８′で検出した二次電池１５の温度，電圧などが異常な値になったとき、スイッチ２１，２２を開状態とする制御を行う。このようにすることで、二次電池１５が異常な状態であるとき、二次電池１５が端子１１，１２側から切り離なれ、充電や放電ができなくなる安全装置として作動する。この場合のスイッチ２１，２２も、何れか一方だけを設けるようにしても良い。
【００３０】
なお、この図３の例の場合に、スイッチ２１，２２を設ける代わりに、図１に示した表示回路１９を設け、残量表示などを行うようにしても良い。
【００３１】
この図３の例の場合には、スイッチ１３′，１４′が二次電池とビデオカメラの電源入力部との間にないので、充電時にバッテリ装置に供給される大電流やビデオカメラ側への大電流の供給に耐え得る大電流用スイッチとする必要がなく、バッテリ状態検出回路１８や表示回路１９を駆動させる程度の小電流（５０ｍＡ程度）用のタクトスイッチ等で良く、簡単な構成のスイッチとすることができる。
【００３２】
また、上述実施例ではビデオカメラ用のバッテリ装置として説明したが、他の負荷装置に接続されるバッテリ装置にも適用できることは勿論である。
【００３３】
【発明の効果】
本発明によると、バッテリ装置が負荷装置又は充電装置と接続されない状態のとき、端子とバッテリ状態検出手段が二次電池から切り離され、端子の短絡事故を防止できると共に、バッテリ状態検出手段に常時電流が流れる暗電流の発生を防止することができる。
【００３５】
さらに、上述した場合にバッテリ状態検出手段で、二次電池の端子間電圧を検出することで、充電器や負荷装置と接続された場合にだけ充電電圧や負荷電圧の異常を検出するようになる。
【００３６】
さらに、上述した場合にバッテリ状態検出手段で、二次電池の充電残量を検出し、検出した残量を表示することで、充電器や負荷装置と接続された場合にだけ二次電池の充電残量が表示されるようになる。
【図面の簡単な説明】
【図１】本発明の一実施例を示す構成図である。
【図２】一実施例によるバッテリ装置の外観を示す斜視図である。
【図３】本発明の他の実施例を示す構成図である。
【符号の説明】
１０，１０′  バッテリ装置
１１，１２  端子
１３，１３′，１４，１４′  スイッチ
１５  二次電池
１６  突起部
１８，１８′  バッテリ状態検出回路
１９  表示回路
【図１】
0003735871.tif 000002
【図２】
0003735871.tif 000003
【図３】
0003735871.tif 000004